(57)【特許請求の範囲】
【請求項１】
構造体部分（８）に固定する脚部（１）と、管（５，７）およびケーブルを収容するため脚部（１）から突出してほぼ湾曲した形状の少なくとも１個の収容フック（２）とを具え、この少なくとも１個の収容フック（２）によって収容空間（４）を構成した管又はケーブル用の止め輪において、前記収容フック（２）の遊端（２ａ）から離れた位置に、前記収容フックの端部領域（２ｂ）を収容空間（４）内に折り畳むことを可能にするヒンジ部（３）を設け、このヒンジ部（３）は収容空間（４）の中心軸線（Ａ）に平行に延びる回動軸線を有するものとし、前記ヒンジ部（３）から前記収容フックの端部領域（２ｂ）を前記収容空間（４）の内側に折り畳むことにより、前記ヒンジ部（３）を前記構造体部分（８）に接近させ、脚部（１）側の端部から前記ヒンジ部（３）にいたる短くなった前記収容フック（２）の保持部分と、前記構造体部分（８）とで囲まれる収容空間（４）の寸法を減少することができるようにしたことを特徴とする管又はケーブル用の止め輪。
【請求項２】
ヒンジ部（３）の遊端（２ａ）から離れる距離を収容フック（２）の湾曲寸法全体の０．２〜０．４倍とした請求項１記載の管又はケーブル用の止め輪。
【請求項３】
前記ヒンジ部（３）を、前記構造体部分（８）に対向する前記脚部（１）の前面（１ｂ）がなす平面（Ｅ）上又はその近傍に設けた請求項１又は２記載の管又はケーブル用の止め輪。
【請求項４】
前記ヒンジ部（３）を、収容フック（２）の横断面を減少させることによって構成した請求項１乃至３のうちのいずれか一項に記載の管又はケーブル用の止め輪。
【請求項５】
横断面を減少した残りの横断面部は、収容空間（４）の中心軸線（Ａ）に平行に延びかつ収容空間（４）に隣接するウェブ（３ａ）として構成した請求項４記載の管又はケーブル用の止め輪。
【発明の詳細な説明】
【０００１】
【発明の属する技術分野】
本発明は、構造体部分に固定する脚部と、管及びケーブルを収容するため脚部から突出してほぼ湾曲した形状の少なくとも１個の収容フックとを具え、この少なくとも１個の収容フックによって収容空間を構成した管又はケーブル用の止め輪に関するものである。本発明による止め輪は、管及びケーブルを構造体部分に固定するのに使用し、あらゆる技術分野の管及びケーブル及び電気ケーブル等の設置に関する。
【０００２】
【従来の技術】
管又はケーブルの固定は、止め輪の収容フックを管又はケーブルの周囲に部分的に掛合させ、止め輪の脚部を構造体部分に固定することにより行う。脚部の構造体部分への固定は種々の方法で行うことができ、例えば、直接打ち込むくぎ又はだぼのような形式の固定素子を使用する。更に、脚部を直接構造体部分に固定することもでき、この場合、接着、溶接又は形状嵌合連結例えば、構造体部分に形成した孔への形状嵌合による連結も可能である。
【０００３】
止め輪の収容フックはそれぞれ異なる構成にすることができる。広く普及している構成としては、脚部と収容空間の遊端との間においてほぼ湾曲した形状をしているのが一般的である。このような収容空間は、１個又はそれ以上の管又はケーブルを収容できるように大きく形成している。脚部から突出する収容フックの数は１個だけではなく、所定の数の固定のため２個又はそれ以上の収容フックを同一の脚部から突出させている。
【０００４】
【発明が解決しようとする課題】
構造体部分に固定する管又はケーブルは、適用状況及び使用目的に応じて直径がそれぞれ異なる。従って、通常使用される管又はケーブルは程度の多少はあるにしろ何らかの弾性を有する弾性材料例えば合成物質で構成し、ある程度の直径に差はこの弾性によって対処できるようにしている。所定の範囲外の直径変化がある場合には、異なる大きさの止め輪を使用しなければならず、このことは経済的ではなく、一方では製造業者はそのための設備を必要とし、他方では保管の問題及び用途に応じた選択を必要とし、コストが相当かかる。
【０００５】
弾性を利用するとともに、他の対処方法も知られており、例えば、ドイツ国特許第２６３３５２８号明細書に記載の管又はケーブル用の止め輪がある。この既知の止め輪は、脚部の掛合側面を構造体部分に対して所定の角度をなすようにし、管又はケーブル用の止め輪を状況に応じて異なる角度で固定させる。
【０００６】
しかし、この既知の方法では、弾性を利用したとしても直径の変化に対してあらゆる要求に対応して固定することはできない。即ち、管又はケーブル用の止め輪の位置決めにより固定が不安定になる。脚部に密着性のある掛合側面を設けることができないためである。
【０００７】
従って、本発明の目的は、異なる直径の管又はケーブルに適合する収容空間を有し、あらゆる直径の管又はケーブルに対してそれぞれ問題なく構造体部分に固定することができる管又はケーブル用の止め輪を得るにある。
【０００８】
【課題を解決するための手段】
この目的を達成するため、本発明管又はケーブル用の止め輪は、前記収容フックの遊端から離れた位置に、収容フックの端部領域を収容空間内に折り畳むことを可能にするヒンジ部を設け、このヒンジ部は収容空間の中心軸線に平行に延びる回動軸線を有するものとしたことを特徴とする。
【０００９】
【発明の実施の形態】
本発明管又はケーブル用の止め輪によれば、ヒンジ部を設けたため収容空間の変化に適合することができる。収容フックの遊端の端部領域を折り畳むことにより収容空間を減少する。このヒンジ部は単に収容空間内に折り畳むだけでなく、折り畳まない状態でこの遊端の端部領域を大きい容積の管又はケーブルに掛合させることもできる。
【００１０】
本発明管又はケーブル用の止め輪によれば、小さい直径の管又はケーブルを固定することができ、この場合、収容フックの端部領域を内方に折り畳んで構造体部分に掛合させて収容空間を減少する。これにより、小さい直径の管又はケーブルを十分固定することができる。大きな直径の管又はケーブルを構造体部分に固定する際には、脚部が構造体部分に固定されているため、収容空間をなす止め輪部分の弾性に基づいて拡開する。収容空間の拡開にも係わらず、十分な掛合は確保され、これにはヒンジ部を端部領域に設けたことが寄与している。従って、大きな直径を有する管又はケーブルの不慮のゆるみは排除される。
【００１１】
収容空間の大きさ変化を許容するため、本発明の好適な実施例においては、ヒンジ部の遊端から離れる距離を収容フックの湾曲寸法全体の０．２〜０．４倍とする。
【００１２】
収容フックの端部領域の折り畳むことにより収容空間を縮小化する上で、本発明の好適な実施例においては、前記ヒンジ部を、前記構造体部分に対向する前記脚部の前面がなす平面上又はその近傍に設ける。この構成により、収容空間の端部領域を構造体部分に当接して脚部を構造体部分に固定することにより、収容空間は縮小され、固定すべき管又はケーブルはしっかりと固定される。
【００１３】
管又はケーブル用の止め輪に例えば、合成物質のような材料を使用するとき、ヒンジ部は収容フックの横断面を縮小することにより形成すると好適である。
【００１４】
横断面縮小部により収容フックの端部領域を分離するとともに、収容空間内に折り畳むことができるようにするため、好適な実施例においては、横断面を減少した残りの横断面部は、収容空間の中心軸線に平行に延びかつ収容空間に隣接するウェブとして構成する。横断面縮小部を設けた収容フックのウェブに連続する領域は、十分な掛合面を構成し、端部領域を外方に展開することにより逆の作用を行う。ヒンジ部に連続する収容フックの端部領域は、大きな直径の管又はケーブルに掛合して固定するのに役立つ。
【００１５】
【実施例】
次に、図面につき本発明の好適な実施例を説明する。
【００１６】
図１に、脚部１及び収容フック２を有する管又はケーブル用の止め輪を示す。収容フック２の遊端２ａから離れた位置に、横断面を減少させた形状のヒンジ部３を設ける。このヒンジ部３の減少した横断面部はウェブ３ａとして残存し、このウェブ３ａは、収容フック２によって包囲する収容空間の中心軸線Ａに平行に延在する。図１に明示するように、ヒンジ部３は脚部１の前面１ｂを構成する平面Ｅを仮想して示す一点鎖線上に存在する。
【００１７】
上述のように、脚部１において管又はケーブル用の止め輪を種々の方法で固定することができる。例えば、くぎ又はだぼのような固定素子を使用する場合、脚部１に貫通孔１ａを設け、この貫通孔にこのような関連の固定素子を収容する。
【００１８】
図２及び図３には、それぞれ図１に示す管又はケーブル用の止め輪を構造体部分８に固定した実施例を示す。
【００１９】
図２の実施例においては、小径の管５を構造体部分８に固定する。この目的のため、脚部１を固定素子６によって構造体部分８に固定する。ヒンジ部３により構造体部分８に立脚する収容フック２の端部領域２ｂを収容空間４内に折り畳む。従って、収容空間４は縮小し、これにより管又はケーブル用の止め輪は固定すべき管５を十分に緊縛する。
【００２０】
図３の実施例においては、構造体部分８に大径の管７を固定する。この目的のため、固定素子６によって脚部１を構造体部分８に固定する。このとき、脚部１に隣接する収容フック２の弾性に基づいて僅かに湾曲する。これにより全体的に見て収容空間４は拡開する。図３に明示するように、収容フック２の収容空間４の拡開にも係わらず、管７に対する十分な巻き付きを確実にする。即ち、遊端領域２ｂがこの巻き付きに寄与し、本発明によるヒンジ部３は遊端２ｂは外方への折れ曲がりを阻止する。
【００２１】
本発明による管又はケーブル用の止め輪の材料としては、合成物質を使用することができる。より多くの管及びケーブルを互いに並置して固定するのは、より多くの収容空間を順次に設けた収容フックにより可能になり、この場合、最後の収容空間に寸法を可変にするヒンジ部を設ける。同様に、複数個の脚部とこの脚部に対応する数の収容フックを配置して可変にすることもできる。
【図面の簡単な説明】
【図１】本発明による管又はケーブル用の止め輪の側面図である。
【図２】図１の管又はケーブル用の止め輪によって小径の管を固定した状態を示す実施例の一部断面とする側面図である。
【図３】大径の管を図１の管又はケーブル用の止め輪によって固定した状態を示す一部断面とする側面図である。
【符号の説明】
１  脚部
1a  貫通孔
２  収容フック
2a  遊端
2b  端部領域
３  ヒンジ部
3a  ウェブ
【図１】
0003748926.tif 000002
【図２】
0003748926.tif 000003
【図３】
0003748926.tif 000004